(57)【特許請求の範囲】
【請求項１】
カードを挟んで保持する保持部を、ケース内へ収納可能な保持具において、
前記ケースは、内部から光を照射する照明手段が設けられ、
前記保持部は、前記照明手段からの光が入る孔が設けられた第１保持部材と、内部へ入った光を前記保持具の前側へ放出させる放光部が設けられた第２保持部材とからなり、前記両保持部材の間に所定の隙間からなりカードを挿入できる保持溝が形成され、
前記孔と前記放光部とは、前記保持部にカードを保持させることにより、前記照明手段からの光が前記カードで遮断されて前記保持部の前面へ到達しなくなる前面照明補助手段を構成する、
ことを特徴とする保持具。
【請求項２】
請求項１に記載の保持具において、
前記照明手段からの光を、前記保持部が保持しているカードの前側に位置する面へ投光する導光部材を設けた、
ことを特徴とする保持具。
【請求項３】
請求項１または請求項２に記載の保持具において、
前記保持部の前記ケース内への収納、前記保持部の前記ケースからの排出を、プッシュ・プッシュ式の保持部収納ロック手段で行う、
ことを特徴とする保持具。
【請求項４】
請求項１から請求項３のいずれか１つに記載の保持具において、
前記保持部にカードを保持させることにより、前記保持部を前記ケース内へ収納させるのを阻止する保持部収納阻止手段を設けた、
ことを特徴とする保持具。
【発明の詳細な説明】
【技術分野】
【０００１】
この発明は、例えば、自動車の車室内に取り付けられ、高速道路の通行カード、給油カードなどカードを挟んで保持する保持部を、ケース内へ収納可能な保持具に関するものである。
【背景技術】
【０００２】
従来の上記した保持具として、カードなどを挟んで保持する保持部を、回動させることによってケース（本体）内に収納可能なものが提案されている。
なお、保持部は、回動部材と、この回動部材とでカードなどを保持するように、回動部材に一端側を支点として付勢されるように取り付けられた差込保持片とで構成されている。
【特許文献１】特開２００１−２６０７３５号公報
【発明の開示】
【発明が解決しようとする課題】
【０００３】
上記した従来の保持具は、カードを保持することができるものの、例えば、保持部を照らす照明手段などが設けられていないので、周囲が暗くなると、設置位置が分かり難く、保持部へカードをうまく保持させたり、速く保持させることができなくなる。
また、カードを保持させた保持部をケース内へ収納可能であるので、誤って、カードを保持させた保持部をケース内へ収納させると、保持部が保持したカードに折り曲げる力が加わり、カードを損傷させる恐れがある。
【０００４】
この発明は、上記したような不都合を解消するためになされたもので、周囲が暗くなっても、カードを保持する保持部の部分から光が漏れることによって設置位置が分かり易く、カードを保持する保持部の部分へカードを容易に、かつ、速く保持させることができ、また、カードを保持させた保持部をケース内へ収納できないようにすることにより、カードの損傷を防止することのできる保持具を提供するものである。
【課題を解決するための手段】
【０００５】
この発明は、以下のような発明である。
（１）カードを挟んで保持する保持部を、ケース内へ収納可能な保持具において、前記ケースは、内部から光を照射する照明手段が設けられ、前記保持部は、前記照明手段からの光が入る孔が設けられた第１保持部材と、内部へ入った光を前記保持具の前側へ放出させる放光部が設けられた第２保持部材とからなり、前記両保持部材の間に所定の隙間からなりカードを挿入できる保持溝が形成され、前記孔と前記放光部とは、前記保持部にカードを保持させることにより、前記照明手段からの光が前記カードで遮断されて前記保持部の前面へ到達しなくなる前面照明補助手段を構成することを特徴とする。
（２）（１）に記載の保持具において、前記照明手段からの光を、前記保持部が保持しているカードの前側に位置する面へ投光する導光部材を設けたことを特徴とする。
（３）（１）または（２）に記載の保持具において、前記保持部の前記ケース内への収納、前記保持部の前記ケースからの排出を、プッシュ・プッシュ式の保持部収納ロック手段で行うことを特徴とする。
（４）（１）から（３）のいずれか１つに記載の保持具において、前記保持部にカードを保持させることにより、前保持部を前記ケース内へ収納させるのを阻止する保持部収納阻止手段を設けたことを特徴とする。
【発明の効果】
【０００６】
この発明によれば、カードを保持する保持部の部分へ、ケースの内部から光を照射する照明手段を設けたので、周囲が暗くなっても、カードを保持する保持部の部分から光が漏れることによって設置位置が分かり易く、カードを保持する保持部の部分へカードを容易に、かつ、速く保持させることができる。
そして、保持部がカードを保持していない状態で、照明手段からの光が保持部の前面へ到達し、保持部にカードを保持させることにより、照明手段からの光が保持部の前面へ到達しなくなる前面照明補助手段を設けたので、保持部にカードを保持させることにより、照明手段からの光が保持部の前面へ到達しなくなる。
したがって、保持部の前面に光が到達しているか否かにより、保持部がカードを保持しているか否かが容易に分かる。
さらに、照明手段からの光を、保持部が保持しているカードの前側に位置する面（使用者から見える面）へ投光する導光部材を設けたので、保持部が保持しているカードが何のカードであるかを容易に判別することができる。
そして、保持部のケース内への収納、保持部のケースからの排出を、プッシュ・プッシュ式の保持部収納ロック手段で行うので、保持部のケース内への収納、保持部のケース内から使用位置への移動を簡単、かつ、操作性よく行うことができる。
また、保持部にカードを保持させることにより、保持部をケース内へ収納させるのを阻止する保持部収納阻止手段を設けたので、カードを保持させた保持部をケース内へ収納させることができなくなることにより、カードの損傷を防止することができる。
【発明を実施するための最良の形態】
【０００７】
以下、この発明の実施例を図に基づいて説明する。
【０００８】
図１はこの発明の一実施例である保持具の正面側からの分解斜視図、図２（ａ）は図１に示したケースの正面図、図２（ｂ）は図１に示したケースの右側面図、図２（ｃ）は図２（ａ）のＡ−Ａ線による断面図、図３（ａ）は図１に示した第１保持部材の正面図、図３（ｂ）は図１に示した第１保持部材の右側面図、図３（ｃ）は図１に示した第１保持部材の背面図、図３（ｄ）は図３（ａ）のＢ−Ｂ線による断面図、図４（ａ）は図１に示した第２保持部材の正面図、図４（ｂ）は図１に示した第２保持部材の右側面図、図４（ｃ）は図１に示した第２保持部材の背面図、図４（ｄ）は図４（ｃ）のＣ−Ｃ線による断面図、図５は図１に示した第１保持部材に対して図１に示した第２保持部材を取り付けた保持部の背面側からの斜視図、図６は図１に示した各部品を組み立てた保持具の正面図、図７は図６のＤ−Ｄ線による断面図、図８は図７のＥ−Ｅ線に相当する断面図、図９は図７のＦ−Ｆ線に相当する断面図、図１０および図１１は動作説明図である。
【０００９】
図１において、Ｈは保持具を示し、合成樹脂製のケース１１と、このケース１１に取り付けられる保持部収納ロック手段としてのラッチ２１と、ケース１１に取り付けられる照明手段としての発光ダイオード３１と、ケース１１に回動可能に取り付けられ、ラッチ２１によって収納位置に保持される保持部４１と、この保持部４１が保持したカードの前側に位置する面（使用者から見える面）へ、発光ダイオード３１からの光を導いて投光する導光部材７１と、保持部４１をケース１１から突出する方向へ付勢する保持部排出付勢手段としてのネジリコイルバネ８１とで構成されている。
そして、保持部４１は、ケース１１に回動可能に取り付けられる合成樹脂製の第１保持部材４２と、この第１保持部材４２に取り付けられる第１保持軟質部材５１と、第１保持部材４２に取り付けられる合成樹脂製の第２保持部材５６と、この第２保持部材５６に取り付けられ、第１保持軟質部材５１に当接する第２保持軟質部材６３とで構成されている。
【００１０】
上記したケース１１は、図１または図２に示すように、矩形の上端部分が円弧状とされた外形で、この外形よりも少し小さい同形の凹部を有するケース本体１２と、このケース本体１２の前側に外側へ突出し、周回させて設けられたフランジ部１９とで構成されている。
そして、ケース本体１２には、後壁の内側で、上下方向の上側の左右方向の中心部分に位置する取付孔１２ａと、この取付孔１２ａの下側の内側で、左右方向の中心部分に位置し、円弧状のリブからなる光源取付部１３と、この光源取付部１３の左側の内側に位置し、ネジリコイルバネ８１の一端を係止させる係止突起１４と、光源取付部１３の下側の内側に位置し、左右の側壁から内側へ凹んだ直方体状の凹み部１５Ｌ，１５Ｒと、この凹み部１５Ｌ，１５Ｒの前面で、凹み部１５Ｌ，１５Ｒの内側縁（中心に近い方の縁）の上下に位置し、第１保持部材４２に設けられた回動規制突起４６Ｌ，４６Ｒを、凹み部１５Ｌ，１５Ｒの内側側壁に設けられた回動規制孔１５ａへ案内する案内突起１６Ｕ，１６Ｄと、凹み部１５Ｌ，１５Ｒの下側の内側に位置し、左右の側壁から同一中心線を中心として中央へ向かって延び、端が所定の間隔で対向する回動支軸１７Ｌ，１７Ｒと、上下の側壁に位置し、フランジ部１９と被取付部材の厚さの間隔で対峙する弾性挟持爪１８Ｕ，１８Ｄとが設けられている。
なお、凹み部１５Ｌ，１５Ｒの上下方向へ延びた内側側壁には、回動支軸１７Ｌ，１７Ｒを中心とした円弧状で、第１保持部材４２に設けられた回動規制突起４６Ｌ，４６Ｒの回動を規制する回動規制孔１５ａがそれぞれ設けられている。
そして、弾性挟持爪１８Ｕ，１８Ｄは、ケース本体１２に後側から前側へ連設された弾性片１８ａと、この弾性片１８ａの先端（前側）にケース本体１２の外側へ向けて設けられ、前端側の係止部分がフランジ部１９に対して所定間隔（被取付部材の厚さの間隔）とされた爪部１８ｂとで構成されている。
【００１１】
上記したラッチ２１は、詳細な図示を省略するが、第１保持部材４２のストライカ４４によって移動体がコイルバネ（付勢部材）の付勢力に抗してハウジング内へ押し込まれることにより、移動体に設けられた２つの保持片がストライカ４４を保持するとともに、移動体がハウジング内のロック位置にロックされ、再度ストライカ４４によって移動体がコイルバネの付勢力に抗してハウジング内へ押し込まれることにより、移動体のロックが解除され、移動体がコイルバネの付勢力によって所定の位置（突出位置）へ移動し、ストライカ４４を２つの保持片の間から取り出すことのできる、プッシュ・プッシュ式とされている。
【００１２】
上記した第１保持部材４２は、合成樹脂で成形され、図１または図３に示すように、ケース本体１２の凹部内へ収納させることができるように、矩形の上端部分が円弧状とされた平板部４３と、この平板部４３の裏側の上側中央に位置させて設けられたストライカ４４と、平板部４３の裏側の下左側に位置させて設けられ、ケース本体１２の回動支軸１７Ｌを回動可能に保持する、上下方向へ延びる上側弾性支持片４５ＵＬおよび下側弾性片４５ＤＬと、平板部４３の裏側の下右側に位置させて設けられ、ケース本体１２の回動支軸１７Ｒを回動可能に保持する、水平方向へ延びる上側弾性支持片４５ＵＲおよび下側弾性片４５ＤＲと、上側弾性支持片４５ＵＬの後端左側上に位置させて設けられ、ケース本体１２の凹み部１５Ｌに設けられた回動規制孔１５ａに係合する回動規制突起４６Ｌと、上側弾性支持片４５ＵＲの後端右側上に位置させて設けられ、ケース本体１２の凹み部１５Ｒに設けられた回動規制孔１５ａに係合する回動規制突起４６Ｒと、平板部４３の裏側で、上側弾性支持片４５ＵＬ，４５ＵＲよりも上側で、かつ、上側弾性支持片４５ＵＲ寄りに位置させて設けられ、ネジリコイルバネ８１の他端を係止させる係止突起４７と、平板部４３の上側半分の前側縁、および、その下端部分を連結するように設けられた上側壁４８とで構成されている。
そして、平板部４３には、左右方向の中央で、上側弾性支持片４５ＵＬ，４５ＵＲの間から上側へ延びた矩形の係止孔４３ａと、左右方向の中央で、係止孔４３ａの上側に位置し、ケース本体１２の光源取付部１３に対応させた円形の、照明手段および前面照明補助手段としての孔４３ｂと、前側の左右方向の中央で、孔４３ｂと上側壁４８の上端部分との間に位置し、前下側から後上側へ僅かに平面で傾斜する取付面４３ｃと、左右方向の中央の下端部分に位置する係止凹部４３ｄとが設けられている。
そして、上側弾性支持片４５ＵＬ，４５ＵＲの後側下端には、回動支軸１７Ｌ，１７Ｒを保持する略円形の保持凹部４５ａが水平方向に設けられている。
そして、上側壁４８の左右の下端部分およびこの下端部分を連結する連結部分が同一高さの当接部分４８ａとされ、この当接部分４８ａの上側の上側壁４８は、前下側から後上側へ僅かに平面で傾斜し、保持溝４１ａ（図５参照）を形成する傾斜面４８ｂとされている。
【００１３】
上記した第１保持軟質部材５１は、図１に示すように、例えば、熱可塑性エラストマーや、ゴムなどで構成され、第１保持部材４２を構成する平板部４３の取付面４３ｃに接着剤などで取り付けられる平板部５２と、この平板部５２から下降しながら平行に前側へ突出する複数の傾斜突出部５３とで構成されている。
【００１４】
上記した第２保持部材５６は、例えば、光を透過する合成樹脂で成形され、図１または図４に示すように、第１保持部材４２を構成する平板部４３と同じ大きさで、第２保持部材５６の前面を照明する前面照明補助手段として機能する平板部５７と、この平板部５７の裏面に、第１保持部材４２の係止孔４３ａに対応させて設けられた弾性取付爪５８と、平板部５７の後側縁に周回させて設けられ、第１保持部材４２を構成する平板部４３に当接する側壁５９と、この側壁５９の下端から第１保持部材４２を構成する平板部４３の係止凹部４３ｄに対応させて設けられ、平板部４３を支持するとともに、平板部４３の後側に当接する係止爪６０とで構成されている。
そして、平板部５７には、後側の左右方向の中央上側に、第１保持部材４２の取付面４３ｃに対応し、前下側から後上側へ僅かに平面で取付面４３ｃと平行に傾斜する取付面５７ａが設けられるとともに、外表面に塗装された前面の塗料を、例えば、レーザエッチングで剥ぎ取って設けた『ＰＵＳＨ』の文字からなり、前面照明補助手段として機能する放光部５７ｂが設けられている。
そして、弾性取付爪５８は、平板部５７から後側へ延びる弾性片５８ａと、この弾性片５８ａの後端左側に位置し、第１保持部材４２の平板部４３の後側に係止孔４３ａを通過して係合する爪部５８ｂと、弾性片５８ａに適度な弾性を与えるための支えリブ５８ｃとで構成されている。
そして、側壁５９には、第１保持部材４２を構成する上側壁４８の当接部分４８ａを平板部５７に当接させするとともに、上側壁４８の傾斜面４８ｂとの間に、カードを挿入できる保持溝４１ａ（図５参照）を形成するように傾斜面４８ｂと平行する傾斜面５９ｂを有する切欠５９ａが設けられている。
【００１５】
上記した第２保持軟質部材６３は、図１に示すように、例えば、熱可塑性エラストマーや、ゴムなどで構成され、第２保持部材５６を構成する平板部５７の取付面５７ａに接着剤などで取り付けられる平板部６４で構成されている。
【００１６】
上記した導光部材７１は、図１または図４（ｃ）に示すように、一端へ入射した発光ダイオード３１からの光を、保持部４１で保持しているカードの前側に位置する面（使用者から見える面）へ他端から放出、投光するものであり、例えば、合成樹脂で細長い円柱状に成形されている。
そして、導光部材７１は、第２保持部材５６を構成する側壁５９の上端部分に他端を位置させて平板部５７内を上下方向の途中部分まで下降した後、平板部５７の裏側へ一端部分が所定長突出するように、複数本が第２保持部材５６の成形時に第２保持部材５６内に設けられる。
【００１７】
図７において、Ｂは保持具Ｈを取り付ける被取付部材、例えば、ダッシュボードを示し、ケース１１のケース本体１２を挿入できるように、ケース本体１２の大きさに対応させた取付孔ｈが設けられている。
図１１において、Ｃは保持具Ｈに保持されるカードを示し、例えば、高速道路の通行カードである。
【００１８】
次に、保持具Ｈの組立の一例について説明する。
まず、第１保持部材４２の取付面４３ｃに、第１保持軟質部材５１の傾斜突出部５３を下側へ向けた状態にして平板部５２を接着剤で取り付けるとともに、第２保持部材５６の取付面５７ａに、第２保持軟質部材６３（平板部６４）を接着剤で取り付ける。
そして、第１保持部材４２に設けた孔４３ｂの下側の縁に、第２保持部材５６の裏面から延びる複数の導光部材７１の一端側を、発光ダイオード３１からの光を取り入れることができるように、例えば、接着剤などで固定する。
さらに、第２保持部材５６の係止爪６０を第１保持部材４２の係止凹部４３ｄに入れて平板部４３の裏面に当接させた後、この係止爪６０を支点にして第２保持部材５６を第１保持部材４２側へ押し込むと、爪部５８ｂが係止孔４３ａの縁に衝合することにより、弾性片５８ａが内側へ自身の弾性で撓むので、爪部５８ｂを係止孔４３ａ内へ挿入することができる。
そして、爪部５８ｂが平板部４３を乗り越えると、弾性片５８ａが自身の弾性で元の状態へ復帰して平板部４３の裏面に爪部５８ｂが係合するので、図５に示すように、第１保持部材４２に対して第２保持部材５６を取り付けた保持部４１とすることができる。
【００１９】
このように、第１保持部材４２に対して第２保持部材５６を取り付けると、側壁５９の下側が平板部４３に当接するとともに、上側壁４８の当接部分４８ａが切欠５９ａの下に位置する平板部５７に当接することにより、図５または図７に示すように、傾斜面４８ｂと傾斜面５９ｂとの間に所定の隙間からなる保持溝４１ａが形成される。
そして、傾斜面４８ｂと傾斜面５９ｂとの間に形成された保持溝４１ａ内で、例えば、図７に示すように、傾斜面５９ｂの面で、第１保持軟質部材５１の傾斜突起部５３が第２保持軟質部材６３（平板部６４）に当接している。
【００２０】
次に、ケース本体１２の取付孔１２ａに、図示を省略したラッチ２１の係合爪を利用して、図７および図８に示すように、ラッチ２１を取り付けるとともに、光源取付部１３に発光ダイオード３１を取り付ける。
そして、ネジリコイルバネ８１のコイル部分をケース本体１２の回動支軸１７Ｌ，１７Ｒの間から入れ、図８および図９に示すように、ネジリコイルバネ８１のコイル部分に回動支軸１７Ｌ，１７Ｒの端部を挿入し、図８に示すように、ネジリコイルバネ８１の一端を係止突起１４に係止させる。
【００２１】
この状態で、上側弾性支持片４５ＵＬと下側弾性片４５ＤＬとを回動支軸１７Ｌに対応させるとともに、上側弾性支持片４５ＵＲと下側弾性片４５ＤＲとを回動支軸１７Ｒに対応させ、保持部４１をケース本体１２の凹部内へ押し込むと、下側弾性片４５ＤＬ，４５ＤＲが自身の弾性で撓んで元の状態へ復帰することにより、回動支軸１７Ｌは上側弾性支持片４５ＵＬと下側弾性片４５ＤＬとで保持孔４５ａ内に回動可能に保持され、回動支軸１７Ｒは上側弾性支持片４５ＵＲと下側弾性片４５ＤＲとで保持孔４５ａ内に回動可能に保持される。
そして、回動規制突起４６Ｌ，４６Ｒが案内突起１６Ｕ，１６Ｄで案内されるとともに、上側弾性支持片４５ＵＬ，４５ＵＲが自身の弾性で内側へ撓んで元の状態へ復帰することにより、回動規制突起４６Ｌ，４６Ｒが凹み部１５Ｌ，１５Ｒの回動規制孔１５ａ内に入る。
なお、ネジリコイルバネ８１の他端は、係止突起４７に係合し、ネジリコイルバネ８１に付勢力を蓄積させながら回動する。
【００２２】
さらに、保持部４１の上側をケース本体１２内へネジリコイルバネ８１およびラッチ２１内のコイルスプリングの付勢力に抗して押し込むと、保持部４１が回動支軸１７Ｌ，１７Ｒを中心に回動し、ストライカ４４がラッチ２１に作用してラッチ２１がロック状態となることにより、図７に示すように、保持部４１は、ケース本体１２内の収納位置に保持され、保持具Ｈの組立が完了する。
【００２３】
次に、保持具ＨのダッシュボードＢへの取付の一例について説明する。
まず、図７に示すダッシュボードＢの取付孔ｈにケース本体１２の後側を対応させ、ダッシュボードＢに対して保持具Ｈを押し込むと、爪部１８ｂがダッシュボードＢに衝合することにより、弾性片１８ａが内側へ自身の弾性で撓むので、保持具Ｈを取付孔ｈ内へ挿入することができる。
そして、フランジ部１９が取付孔ｈを覆い隠し、ダッシュボードＢ全体に当接すると、爪部１８ｂが取付孔ｈを通過することにより、弾性片１８ａが自身の弾性で元の状態へ復帰するので、図７に示すように、爪部１８ｂがダッシュボードＢの裏側に係合し、保持具Ｈが取付孔ｈから抜けなくなり、保持具Ｈの取付が完了する。
【００２４】
次に、保持具Ｈの動作について説明する。
まず、図７の状態において、発光ダイオード３１が点灯していると、発光ダイオード３１からの光は、孔４３ｂから第２保持部材５６内へ入り、放光部５７ｂから保持具Ｈの前側へ放出される。
また、一端から導光部材７１内へ入った発光ダイオード３１からの光は、導光部材７１の他端から放出され、ケース本体１２の凹部の前側上端部分を照らす。
【００２５】
そして、保持部４１の上側をケース本体１２内へネジリコイルバネ８１およびラッチ２１内のコイルスプリングの付勢力に抗して押し込むと、保持部４１が回動支軸１７Ｌ，１７Ｒを中心に回動し、ストライカ４４がラッチ２１に作用してラッチ２１のロックが解除されることにより、ネジリコイルバネ８１およびラッチ２１内のコイルスプリングの付勢力によって保持部４１が回動支軸１７Ｌ，１７Ｒを中心に回動し、回動規制突起４６Ｌ，４６Ｒが回動規制孔１５ａの前縁に衝合して保持部４１が使用位置に停止することにより、図１０に示すように、フランジ部１９の前面と傾斜面４８ｂとがほぼ同一面を形成する。
【００２６】
この状態で、フランジ部１９の前面および傾斜面４８ｂを案内面として傾斜面４８ｂと傾斜面５９ｂとの間の保持溝４１ａ内へカードＣを挿入すると、傾斜突出部５３が平板部６４に下降した状態で接触しているので、図１１に示すように、カードＣが傾斜突出部５３と平板部６４との間を通過し、当接部分４８ａに当接することにより、カードＣを傾斜突出部５３と平板部６４との間に保持（挟持）させることができる。
このように、保持部４１にカードＣを保持させると、孔４３ｂを通過した発光ダイオード３１からの光は、カードＣで遮断されるので、放光部５７ｂから保持具Ｈの前側へ放出されなくなる
また、一端から導光部材７１内へ入った発光ダイオード３１からの光は、導光部材７１の他端から放出（投光）され、保持部４１が保持しているカードＣの前側に位置する面（使用者から見える面）を照明する。
【００２７】
そして、例えば、高速道路の出口で料金を精算するためにカードＣを保持溝４１ａから抜き取ると、図１０の状態となる。
この図１０の状態で、保持部４１の上側をケース本体１２内へネジリコイルバネ８１およびラッチ２１内のコイルスプリングの付勢力に抗して押し込むと、保持部４１が回動支軸１７Ｌ，１７Ｒを中心に回動し、ストライカ４４がラッチ２１に作用してラッチ２１がロック状態となることにより、図７に示すように、保持部４１は、ケース本体１２内の収納位置に保持される。
【００２８】
上述したように、この発明の一実施例によれば、カードＣを保持する保持部４１の部分（保持溝４１ａ）へ、ケース１１の内部から光を照射する発光ダイオード３１を設けたので、周囲が暗くなっても、カードＣを保持する保持部４１の部分から光が漏れることによって設置位置が分かり易く、カードＣを保持する保持部４１の部分へカードＣを容易に、かつ、速く保持させることができる。
そして、保持部４１がカードＣを保持していない状態で、発光ダイオード３１からの光が保持部４１の前面へ到達し、保持部４１にカードＣを保持させることにより、発光ダイオード３１からの光が保持部４１の前面へ到達しなくなる前面照明補助手段（孔４３ｂ、平板部５７、放光部５７ｂ）を設けたので、保持部４１にカードＣを保持させることにより、発光ダイオード３１からの光が保持部４１の前面へ到達しなくなる。
したがって、保持部４１の前面に光が到達しているか否かにより、保持部４１がカードＣを保持しているか否かが容易に分かる。
さらに、発光ダイオード３１からの光を、保持部４１が保持しているカードＣの前側に位置する面（使用者から見える面）へ投光する導光部材７１を設けたので、保持部４１が保持しているカードＣが何のカードＣであるかを容易に判別することができる。
そして、保持部４１のケース１１内への収納、保持部４１のケース１１からの排出を、プッシュ・プッシュ式のラッチ２１で行うので、保持部４１のケース１１内への収納、保持部４１のケース１１内から使用位置への移動を簡単、かつ、操作性よく行うことができる。
【００２９】
図１２（ａ）はこの発明の他の実施例である保持具の概略構成を示す説明図、図１２（ｂ）および図１２（ｃ）は動作説明図であり、図１〜図１１と同一または相当部分に同一符号を付し、その説明を省略する。
【００３０】
この実施例の保持具Ｈは、保持部４１が回動支軸１７によって回動可能にケース本体１２に支持され、保持部４１にカードＣを保持させることにより、保持部４１をケース１１内へ収納させるのを阻止する保持部収納阻止手段としての保持部収納阻止機構９１を備えている。
そして、保持部４１には、上端から途中部分まで、保持溝４１ａが設けられている。
【００３１】
上記した保持部収納阻止機構９１は、ケース本体１２に設けられた被衝合部２０と、保持部４１に回動可能に取り付けられ、保持溝４１ａ内へ挿入されたカードＣで一端（前端、使用者側の端）が押し下げられることにより、他端（後端、使用者と反対側の端）が被衝合部２０に衝合可能となる位置へ回動する衝合部材９２と、保持部４１の後側下端と衝合部材９２の他端側との間に張架され、衝合部材９２の一端を保持部４１の保持溝４１ａ内へ挿入されたカードＣで押し下げられるように付勢するとともに、衝合部材９２の他端を被衝合部２０に衝合しないように付勢する付勢部材としてのコイルバネ９３とで構成されている。
【００３２】
なお、図示は省略されているが、保持部４１の回動を規制し、保持部４１を使用位置に停止させる、先の実施例における回動規制孔１５ａ、回動規制突起４６Ｌ，４６Ｒと同様の機能を有する回動規制機構を備えている。
【００３３】
この実施例の保持具Ｈの組立は通常の組立で組み立てられるので、組立の説明を省略し、また、保持具Ｈの被取付部材への取付も、先の実施例と同様になるので、被取付部材への取付の説明を省略し、保持具Ｈの動作について説明する。
まず、図１２（ａ）の状態において、保持部４１の上側をケース本体１２内へラッチ２１内のコイルスプリングの付勢力に抗して押し込むと、保持部４１が回動支軸１７を中心に回動し、ストライカ４４がラッチ２１に作用してラッチ２１のロックが解除されることにより、ラッチ２１内のコイルスプリングの付勢力によって保持部４１が回動支軸１７を中心に回動し、回動規制機構によって保持部４１が使用位置に停止することにより、図１２（ｂ）に示す状態となる。
【００３４】
この状態で、保持部４１の保持溝４１ａ内へ上側からカードＣを挿入すると、図１２（ｃ）に示すように、カードＣが衝合部材９２の一端を押し下げながら保持溝４１ａの一方の内面と衝合部材９２との間に入ることにより、コイルバネ９３の付勢力でカードＣを保持溝４１ａの内面と衝合部材９２との間に保持（挟持）させることができるとともに、衝合部材９２の他端が被衝合部材２０に衝合する位置へ回動する。
したがって、図１２（ｃ）の状態で、保持部４１の上側をケース本体１２内へラッチ２１内のコイルスプリングの付勢力に抗して押し込もうとしても、衝合部材９２が被衝合部材２０に衝合することにより、保持部４１をケース本体１２内へ収納させることができなくなる。
【００３５】
そして、保持溝４１ａ内からカードＣ取り出すと、図１２（ｂ）に示すように、コイルバネ９３の付勢力で衝合部材９３の他端が被衝合部材２０に衝合しない位置へ回動するので、保持部４１の上側をケース本体１２内へラッチ２１内のコイルスプリングの付勢力に抗して押し込むと、保持部４１が回動支軸１７を中心に回動し、ストライカ４４がラッチ２１に作用してラッチ２１がロック状態となることにより、図１２（ａ）に示すように、保持部４１は、ケース本体１２内の収納位置に保持される。
【００３６】
上述したように、この実施例によれば、保持部４１にカードＣを保持させることにより、保持部４１をケース１１内へ収納させるのを阻止する保持部収納阻止機構９１を設けたので、カードＣを保持させた保持部４１をケース１１内へ収納させることができなくなることにより、カードＣの損傷を防止することができる。
【００３７】
上記した実施例では、ケース本体１２に発光ダイオード３１を取り付け、この発光ダイオード３１からの光を通過させる孔４３ｂを平板部４３に設けた例を示したが、平板部４３に設けた孔に発光ダイオード３１を取り付けてもよい。
このようにして平板部４３に発光ダイオード３１を取り付けたとき、導光部材７１へ発光ダイオード３１の光を入射させることができない場合は、導光部材７１へ光を供給する発光ダイオードを別途設ければよい。
また、導光部材７１の一端を平板部４３の孔４３ｂの縁に接着剤で固定した例を示したが、導光部材７１の一端を安定した状態で固定できるように、平板部４３に導光部材７１の径の孔を設け、この孔に導光部材７１の一端を挿入して接着剤で固定してもよい。
なお、図１〜図１１に示した実施例に、図１２に示した実施例の保持部収納阻止機構９１を設けた保持具Ｈとすることもできる。
【図面の簡単な説明】
【００３８】
【図１】この発明の一実施例である保持具の正面側からの分解斜視図である。
【図２】（ａ）は図１に示したケースの正面図、（ｂ）は図１に示したケースの右側面図、（ｃ）は図２（ａ）のＡ−Ａ線による断面図である。
【図３】（ａ）は図１に示した第１保持部材の正面図、（ｂ）は図１に示した第１保持部材の右側面図、（ｃ）は図１に示した第１保持部材の背面図、（ｄ）は図３（ａ）のＢ−Ｂ線による断面図である。
【図４】（ａ）は図１に示した第２保持部材の正面図、（ｂ）は図１に示した第２保持部材の右側面図、（ｃ）は図１に示した第２保持部材の背面図、（ｄ）は図４（ｃ）のＣ−Ｃ線による断面図である。
【図５】図１に示した第１保持部材に対して図１に示した第２保持部材を取り付けた保持部の背面側からの斜視図である。
【図６】図１に示した各部品を組み立てた保持具の正面図である。
【図７】図６のＤ−Ｄ線による断面図である。
【図８】図７のＥ−Ｅ線に相当する断面図である。
【図９】図７のＦ−Ｆ線に相当する断面図である。
【図１０】動作説明図である。
【図１１】動作説明図である。
【図１２】（ａ）はこの発明の他の実施例である保持具の概略構成を示す説明図、（ｂ）および（ｃ）は動作説明図である。
【符号の説明】
【００３９】
Ｈ        保持具
１１      ケース
１２      ケース本体
１２ａ    取付孔
１３      光源取付部
１４      係止突起
１５Ｌ    凹み部
１５Ｒ    凹み部
１５ａ    回動規制孔
１６Ｕ    案内突起
１６Ｄ    案内突起
１７      回動支軸
１７Ｌ    回動支軸
１７Ｒ    回動支軸
１８Ｕ    弾性挟持爪
１８Ｄ    弾性挟持爪
１８ａ    弾性片
１８ｂ    爪部
１９      フランジ部
２０      被衝合部（保持部収納阻止機構）
２１      ラッチ（保持部収納ロック手段）
３１      発光ダイオード（照明手段）
４１      保持部
４１ａ    保持溝
４２      第１保持部材
４３      平板部
４３ａ    係止孔
４３ｂ    孔（照明手段、前面照明補助手段）
４３ｃ    取付面
４３ｄ    係止凹部
４４      ストライカ
４５ＵＬ  上側弾性支持片
４５ＵＲ  上側弾性支持片
４５ＤＬ  下側弾性片
４５ＤＲ  下側弾性片
４５ａ    保持凹部
４６Ｌ    回動規制突起
４６Ｒ    回動規制突起
４７      係止突起
４８      上側壁
４８ａ    当接部分
４８ｂ    傾斜面
５１      第１保持軟質部材
５２      平板部
５３      傾斜突出部
５６      第２保持部材
５７      平板部（前面照明補助手段）
５７ａ    取付面
５７ｂ    放光部（前面照明補助手段）
５８      弾性取付爪
５８ａ    弾性片
５８ｂ    爪部
５８ｃ    支えリブ
５９      側壁
５９ａ    切欠
５９ｂ    傾斜面
６０      係止爪
６３      第２保持軟質部材
６４      平板部
７１      導光部材
８１      ネジリコイルバネ（保持部排出付勢手段）
９１      保持部収納阻止機構（保持部収納阻止手段）
９２      衝合部材
９３      コイルバネ（付勢手段）
Ｂ        ダッシュボード（被取付部材）
ｈ        取付孔
Ｃ        カード
【図１】
0004619233.tif 000002
【図２】
0004619233.tif 000003
【図３】
0004619233.tif 000004
【図４】
0004619233.tif 000005
【図５】
0004619233.tif 000006
【図６】
0004619233.tif 000007
【図７】
0004619233.tif 000008
【図８】
0004619233.tif 000009
【図９】
0004619233.tif 000010
【図１０】
0004619233.tif 000011
【図１１】
0004619233.tif 000012
【図１２】
0004619233.tif 000013